(57)【要約】      （修正有）【課題】収納箱の前に障害物があっても、収納容量を十分に生かすことのできる収納箱を提供する。【解決手段】前端に開口を有する箱形の収納部１１の中に前後に一列に並んだ３つの引き出し２１−１〜２１−３が前後に連結された状態で収納されている。各引き出し２１−１〜２１−３には前部と後部の下端に連結部としての上向きで横方向に延びた溝状のレール部２２−２と、下向きで横方向に延びた溝状のレール部２３−１が形成されている。レール部２２−２とレール部２３−１は横方向にスライドさせながら着脱自在に嵌合可能となっている。【選択図】図５
0003140057.tif 000002
【実用新案登録請求の範囲】
【請求項１】
複数個の引き出しと、
複数個の引き出しを前後方向に一列に並べた状態で収納する収納部と、
一列に並べた各引き出しの内、少なくとも最前部から最後尾の１つ手前の各引き出しの後部と、少なくとも最後尾から最前部の一つ後ろの各引き出しの前部に設けられて、他の引き出しを着脱自在に連結する連結部と、
を備えたことを特徴とする収納箱。
【請求項２】
引き出しの前部と後部の連結部は、一方が上向きの溝状部、他方は溝状部に出し入れ自在な下向きの係止部としたこと、
を特徴とする請求項１記載の収納箱。
【請求項３】
収納部を側面から見て湾曲させたこと、
を特徴とする請求項１または２記載の収納箱。
【請求項４】
複数の収納部を前後に着脱自在に連結する連結部を設けたこと、
を特徴とする請求項１記載の収納箱。
【考案の詳細な説明】
【技術分野】
【０００１】
本考案は収納箱に係り、とくに引き出しを内蔵した収納箱に関する。
【背景技術】
【０００２】
従来の引き出しを内蔵した収納箱の一般的な構成を図１に示す。収納箱１は収納筐体２と引き出し３とから成り、引き出し３の長さは収納筐体２の前端から後端近くまである。引き出し３の奥に仕舞った収納物４を取り出すには、引き出し３をほぼ収納筐体１の全長近くまで引き出さなければならない（一点鎖線Ａ参照）。このため、収納箱１の設置スペースが少なく、収納箱１の前側に障害物５があるとき、引き出し３の引き出し可能範囲が限られるため、引き出し３の奥に物を仕舞うことが出来ず、収納容量を有効利用できない問題があった。
スペースの有効利用を図った収納箱として、収納筐体を上下左右に連結可能とした考案はあるが（特許文献１）、収納箱の前に障害物がある場合に、引き出しを収納筐体の全長近くまで引き出すことはできない。
【０００３】
【特許文献１】実開平６−３５１３１号公報
【考案の開示】
【考案が解決しようとする課題】
【０００４】
本考案は上記した従来技術の問題に鑑み、収納箱の前に障害物があっても、収納容量を十分に生かすことのできる収納箱を提供することを、その目的とする。
【課題を解決するための手段】
【０００５】
本考案では、複数個の引き出しと、複数個の引き出しを前後方向に一列に並べた状態で収納する収納部と、一列に並べた各引き出しの内、少なくとも最前部から最後尾の１つ手前の各引き出しの後部と、少なくとも最後尾から最前部の一つ後ろの各引き出しの前部に設けられて、他の引き出しを着脱自在に連結する連結部と、を備えたことを特徴としている。
本考案の１つの態様では、引き出しの前部と後部の連結部は、一方が上向きの溝状部、他方は溝状部に出し入れ自在な下向きの係止部としたこと、を特徴としている。
本考案の他の態様では、収納部を側面から見て湾曲させたこと、を特徴としている。
本考案の他の態様では、複数の収納部を前後に着脱自在に連結する連結部を設けたこと、を特徴としている。
【考案の効果】
【０００６】
本考案によれば、収納箱の前に障害物があっても、各引き出しを外部に取り出すことができるので、収納容量を有効利用することができる。
【実施例１】
【０００７】
図２は本考案の一つの実施例に係る収納箱を示す外観斜視図である。
図２において、１０は収納箱であり、この内、１１は断面方形で長尺箱形の収納部である。２１−１〜２１−３は前後に一列に並んだ３つの引き出しであり、前後に連結された状態で収納部１１に収納されている（図３参照）。各引き出し２１−１〜２１−３には前部と後部の下端に連結部としての上向きで横方向に延びた溝状のレール部２２−１〜２２−３と、下向きで横方向に延びた溝状のレール部２３−１〜２３−３が形成されている。レール部２２−１〜２２−３とレール部２３−１〜２３−３は横方向にスライドさせながら着脱自在に嵌合可能となっている。各引き出し２１〜２３は収納部１１の前面の開口１２から収納部１１の内部に入れたり、収納部１１の外部に取り出したりできる。
【０００８】
図４〜図６は収納箱１０の使用方法の説明図である。
各引き出し２１に収納物を収納させたい場合、レール部２２−１を掴んで引き出し２１−１を引き出し２１−１の全長より少し長く引き出し（図４参照）、引き出し２１−１のレール部２３−１を引き出し２１−２のレール部２２−２に対し横にスライドさせて外す（図５参照）。同様にして、レール部２２−２を掴んで引き出し２１−２を引き出し２１−２の全長より少し長く引き出し、引き出し２１−２のレール部２３−２を引き出し２１−３のレール部２２−３に対し横にスライドさせて外す（図６参照）。更に、レール部２２−３を掴んで引き出し２１−３を収納部１１の外部に出し、引き出し２１−３に収納物を入れて開口１２から再び収納部１１の内部に入れる（図６の引き出し２１−３の状態）。次に、引き出し２１−３のレール部２２−３に引き出し２１−２のレール部２３−２を横にスライドさせながら嵌合して引き出し２１−３と２１−２を連結する。この状態で引き出し２１−２に収納物を入れて収納部１１の内部に入れる。次に、引き出し２１−２のレール部２２−２に引き出し２１−１のレール部２３−１を横にスライドさせながら嵌合して引き出し２１−２と２１−２を連結する。この状態で引き出し２１−１に収納物を入れて収納部１０の内部に入れる。
【０００９】
このように、本実施例によれば収納箱１０の前方のスペースが障害物等で狭くても、各引き出し２１−１〜２１−３の出し入れを、収納部１１の前方にほぼ１つの引き出しの長さ分だけ引き出すことで可能となるため、各引き出し２１−１〜２１−３の収納容量を最大限生かして収納することができる。また、各引き出し２１−１〜２１−３の下端にレール部２２−１〜２２−３とレール部２３−１〜２３−３が形成されているため、出し入れが安定して行える。
なお、最前部の引き出し２１−１の前面にレール部とは別に取っ手部を設けても良い。
【実施例２】
【００１０】
図７は第２の実施例に係る収納箱の外観斜視図である。
図７では、３つの引き出しを収納する収納部を２つ連結して計６個の引き出しを一列に連結可能となっている。収納箱１０Ａの内、収納部１１Ａ、１１Ｂは断面が長方形で前後が開口した筒型に形成されており、各々の後端近くの上側と下側に仕切板１３を出し入れするための長溝１４と差込１５、１５が形成されている（図８、図９参照）。１６は断面が長方形状で筒型の連結部であり、収納部１１Ｂの前端部に一体的に固着されている。連結部１６の内部で２つの収納部１１Ａの後端と１１Ｂの前端が軸方向に突き合わされている（図９（２）参照）。連結部１６の内側面には半球状の突起１７が固着されており、収納部１１Ａの側面に形成された半球状の凹部１８が嵌合することで、収納部１１Ａを外部から連結部１３に着脱自在に固定できるようになっている（図９（１）、（２）参照）。
収納箱１０Ａの組み立て方法は、まず収納部１１Ｂに一体化された連結部１６の中に収納部１１Ａの後端部を挿入し、凹部１８が突起１７に嵌合するようにする（図９（２）参照）。次に、仕切板１３の掴持片１９を持って仕切板１３を収納部１１Ｂの後端近くの長溝１４の中に挿入し、仕切板１３の下端から突出した凸片２０を差込溝１５に差し込む（図８参照）。続いて、収納部１１Ａの開口１２から第１の実施例の引き出し２１−ｉ（ｉ＝１，２，３）と同一に形成された６つの引き出し２１−１〜２１−６を一列に連結しながら収納する（図７参照）。
【００１１】
この実施例によれば、引き出しの内蔵個数を簡単に増やすことができる。なお、収納部１１Ａを単独で用いる場合は、収納部１１Ａの後端部に仕切板１３を差し込むことで、３つの引き出しを一列に連結した状態で収納できる。
【実施例３】
【００１２】
図１０は本考案の第３の実施例に係る収納箱を示す斜視図である。
図１において、収納箱１０Ｂの収納部１１は図２と全く同一に構成されている。２１−１Ａ〜２１−３Ａは前後に一列に並んだ３つの引き出しであり、前後に連結された状態で収納部１１に収納されている（図１０参照）。各引き出し２１−１Ａ〜２１−３Ａは前部と後部の下端に連結部としての上向きで横方向に延びた溝状の受部２４−１〜２４−３と、断面がＬ字状の下向きで横方向に延びた係止部２５−１〜２５−３が形成されている。受部２４−１〜２４−３に係止部２５−１〜２５−３を上から出し入れすることで前後に引き出しを着脱自在に連結可能になっている。各引き出し２１−１Ａ〜２１−３Ａは収納部１１の前面の開口１２から収納部１１の内部に入れたり、収納部１１の外部に出したりできる。
【００１３】
各引き出し２１−１Ａ〜２１−３Ａに収納物を収納させたい場合、受部２４−１を掴んで引き出し２１−１Ａを引き出し２１−１Ａの全長より少し長く引き出し（図１１参照）、引き出し２１−１Ａの係止部２５−１を引き出し２１−２Ａの受部２４−２から上に外す（図１２参照）。続いて、受部２４−２を掴んで引き出し２１−２Ａを引き出し２１−２Ａの全長より少し長く引き出し、引き出し２１−２Ａの係止部２５−２を引き出し２５−３の受部２４−３から上に外す。更に、受部２４−３を掴んで引き出し２１−３Ａを収納部１１の外部に出し、引き出し２１−３Ａに収納物を入れて開口１２から収納部１１の内部に入れる。次に、引き出し２１−３Ａの受部２４−３に引き出し２１−２Ａの係止部２５−２を挿入して引き出し２１−３Ａと２１−２Ａを連結する。この状態で引き出し２１−２Ａに収納物を入れて収納部１１の内部に入れる。次に、引き出し２１−２Ａの受部２４−２に引き出し２１−１Ａの係止部２５−１を挿入して引き出し２１−２Ａと２１−１Ａを連結する。この状態で引き出し２１−１Ａに収納物を入れて収納部１１の内部に入れる。
【００１４】
このように、本実施例によっても収納箱１０Ｂの前方のスペースが障害物等で狭くても、各引き出し２１−１Ａ〜２１−３Ａの出し入れを、収納部１１の前方にほぼ１つの引き出しの全長分だけ引き出すことで可能となるため、各引き出し２１−１Ａ〜２１−３Ａの収納容量を最大限生かして収納することができる。また、受部２４−ｉに係止部２５−ｊを入れたり、出したりするだけで引き出し２４−ｉＡと２４−ｊＡの連結と取り外しができるので、着脱作業が簡単で済む。また、各引き出し２１−１Ａ〜２１−３Ａの下端に受部２４−１〜２４−３と係止部２５−１〜２５−３が形成されているため、出し入れが安定して行える。
【００１５】
なお、第３の実施例においては、各引き出し２１−１Ａ〜２１−３Ａの前部と後部の下端に連結部としての受部２４−１〜２４−３と係止部２５−１〜２５−３を形成したが、図１３に示す如く、各引き出し２１−１Ｂ〜２１−３Ｂの前部と後部の上端に形成するようにしても良い。
【実施例４】
【００１６】
図１４は第４の実施例に係る収納箱の断面図である。この実施例の収納箱１０Ｃでは収納部１１Ｃは第３の実施例と同様に構成された４つの引き出し２１−１Ａ〜２１−４Ａを一列に連結した状態で収納可能であるとともに、横から見て湾曲した構造になっている。収納部１１Ｃの前端近くの底面には半球状の突起５０が固着されており、一方各引き出し２１−１Ａ〜２１−４Ａの底面下側に凹部５１が形成されており、先頭の引き出し２１−ｉＡの凹部５１が着脱自在に突起５０に嵌まることで収納部１１Ｃの中での各引き出し２１−１Ａ〜２１−４Ａの位置決めがされるようになっている。
各引き出し２１−１Ａ〜２１−４Ａは連結状態としたとき受部２４−２（２４−３、３４−４）の中に係止部２５−１（２５−２、２５−３）が引っ掛かっているだけなので、引き出し２１−１Ａに対し２１−２Ａは相対的に向きを上下に変動させることができ、引き出し２１−２Ａに対し２１−３Ａは相対的に向きを上下に変動させることができ、引き出し２１−３Ａに対し２１−４Ａは相対的に向きを上下に変動させることができる。このため、収納部１１Ｃが湾曲していても、連結状態の各引き出し２１−１Ａ〜２１−４Ａを円滑に出し入れすることができ、設置スペースが下方に湾曲している場合に、収納容量を大きく取ることができる。また、各引き出し２１−１Ａ〜２１−４Ａの下端に受部２４−１〜２４−３と係止部２５−１〜２５−４が形成されているため、出し入れが安定して行える。
【００１７】
なお、第４の実施例においては、各引き出し２１−１Ａ〜２１−４Ａの前部と後部の下端に連結部としての受部２４−１〜２４−４と係止部２５−１〜２５−４を形成したが、図１５に示す如く、各引き出し２１−１Ｂ〜２１−４Ｂの前部と後部の上端に形成するようにしても良い。
【産業上の利用可能性】
【００１８】
本考案は、家庭、オフィス、車両等の種々の場所で使用する収納箱に利用できる。
【図面の簡単な説明】
【００１９】
【図１】従来の収納箱の問題点の説明図である。
【図２】本考案の第１の実施例に係る収納箱の外観斜視図である（実施例１）。
【図３】収納箱に収納された引き出しの斜視図である。
【図４】収納箱の使用方法の説明図である。
【図５】収納箱の使用方法の説明図である。
【図６】収納箱の使用方法の説明図である。
【図７】本考案の第２の実施例に係る収納箱の外観斜視図である（実施例２）。
【図８】仕切板の組み立て方法の説明図である。
【図９】２つの収納部の連結方法の説明図である。
【図１０】本考案の第３の実施例に係る収納箱に収納された引き出しの斜視図である（実施例３）。
【図１１】収納箱の使用方法の説明図である。
【図１２】収納箱の使用方法の説明図である。
【図１３】第３の実施例の変形例に係る収納箱に収納された引き出しの斜視図である。
【図１４】本考案の第４の実施例に係る収納箱の縦断面図である（実施例４）。
【図１５】第４の実施例の変形例に係る収納箱の縦断面図である（実施例４）。
【符号の説明】
【００２０】
１０、１０Ａ〜１０Ｅ  収納箱
１１、１１Ａ、１１Ｂ  収納部
１２−１〜１２−６、１２−１Ａ〜１２−４Ａ、１２−１Ｂ〜１２−４Ｂ  引き出し
２２−１〜２２−３、２３−１〜２３−３  レール部
２４−１〜２４−４  受部
２５−１〜２５−４  係止部
【図１】
0003140057.tif 000003
【図２】
0003140057.tif 000004
【図３】
0003140057.tif 000005
【図４】
0003140057.tif 000006
【図５】
0003140057.tif 000007
【図６】
0003140057.tif 000008
【図７】
0003140057.tif 000009
【図８】
0003140057.tif 000010
【図９】
0003140057.tif 000011
【図１０】
0003140057.tif 000012
【図１１】
0003140057.tif 000013
【図１２】
0003140057.tif 000014
【図１３】
0003140057.tif 000015
【図１４】
0003140057.tif 000016
【図１５】
0003140057.tif 000017